(57)【要約】【解決手段】  本発明の光ファイバ伝送路１は、伝送用のシングルモードファイバ（ＳＭＦ）２ａ、２ｂ、２ｃの間に前記光ファイバ伝送路の他の部分よりもファイバヒューズ現象に対する耐性の低い箇所３とファイバヒューズ現象に対する耐性の高い箇所４を近接して配置し、前記ファイバヒューズ現象に対する耐性の高い箇所４を光源５側に設けたものである。【効果】  本発明によれば、もしファイバヒューズ現象が生じるような場合でも、ファイバヒューズ現象の発生箇所を局在化させ、光ファイバ伝送路の他の部分や光源等の装置への延焼を阻止することができる。【選択図】        図１
2005201936.tif 000002
【特許請求の範囲】
【請求項１】
光源と接続され、光源からの光を所定の屈折率を有するコアとその周囲の前記コアよりも屈折率の低いクラッドとからなるシングルモードファイバにより伝送させる光ファイバ伝送路において、前記光ファイバ伝送路の途中に前記光ファイバ伝送路の他の部分よりもファイバヒューズ現象に対する耐性の低い箇所と耐性の高い箇所を近接して配置し、前記耐性の高い箇所を光源側に設けたことを特徴とする光ファイバ伝送路。
【請求項２】
前記耐性の低い箇所は光の吸収機能を有する部材からなることを特徴とする請求項１記載の光ファイバ伝送路。
【請求項３】
前記光の吸収機能を有する部材は光ファイバ伝送路中に金属薄膜を挿入したものであることを特徴とする請求項２記載の光ファイバ伝送路。
【請求項４】
前記耐性の低い箇所は前記光ファイバ伝送路を構成するシングルモードファイバよりもファイバヒューズ現象に対する耐性の低い光ファイバからなることを特徴とする請求項１記載の光ファイバ伝送路。
【請求項５】
前記耐性の低い箇所はモードフィールド径を小さくした光ファイバからなることを特徴とする請求項４記載の光ファイバ伝送路。
【請求項６】
前記耐性の低い光ファイバは光吸収元素をコアに添加した光ファイバであることを特徴とする請求項４記載の光ファイバ伝送路。
【請求項７】
前記耐性の低い光ファイバはプラスチックファイバであることを特徴とする請求項４記載の光ファイバ伝送路。
【請求項８】
前記耐性の低い光ファイバは多成分ガラスファイバであることを特徴とする請求項４記載の光ファイバ伝送路。
【請求項９】
前記耐性の高い箇所は純粋石英コア光ファイバからなることを特徴とする請求項１記載の光ファイバ伝送路。
【請求項１０】
前記耐性の高い箇所はモードフィールド径を大きくした光ファイバからなることを特徴とする請求項１記載の光ファイバ伝送路。
【請求項１１】
前記モードフィールド径を大きくした光ファイバはコア拡大ファイバであることを特徴とする請求項１０記載の光ファイバ伝送路。
【請求項１２】
前記耐性の高い箇所は光ファイバ伝送路中にエアギャップを設けたものであることを特徴とする請求項１記載の光ファイバ伝送路。
【請求項１３】
前記エアギャップを設けたものはコリメータ対であることを特徴とする請求項１２記載の光ファイバ伝送路。
【請求項１４】
光源と接続され、光源からの光を所定の屈折率を有するコアとその周囲の前記コアよりも屈折率の低いクラッドとからなるシングルモードファイバにより伝送させる光ファイバ伝送路の途中に配置される保安器であって、前記保安器は前記光ファイバ伝送路の他の部分よりもファイバヒューズ現象に対する耐性の高い箇所となるブロック部と、前記光ファイバ伝送路の他の部分よりもファイバヒューズ現象に対する耐性の低い箇所となるヒューズ部とを備え、前記ブロック部とヒューズ部とは直列に接続され、前記ブロック部が光源側に設けられるようにしたことを特徴とする保安器。
【請求項１５】
前記ブロック部と前記ヒューズ部とは、入力側端末と出力側端末とを備えた筐体内に収納され、前記入力側端末と出力側端末との間に挿入されていることを特徴とする請求項１４記載の保安器。
【請求項１６】
前記入力側又は／及び出力側端末は光コネクタであることを特徴とする請求項１５記載の保安器。
【請求項１７】
光源と接続され、光源からの光を所定の屈折率を有するコアとその周囲の前記コアよりも屈折率の低いクラッドとからなるシングルモードファイバにより伝送させる光ファイバ伝送路に請求項１４記載の保安器が配置された光伝送システムにおいて、前記保安器は前記光源側から前記光ファイバ伝送路の全長の５％以内の距離に設置されていることを特徴とする光伝送システム。
【発明の詳細な説明】
【技術分野】
【０００１】
本発明は、高出力の光を光ファイバに伝送した時に生じるファイバヒューズ現象を遮断する光ファイバ伝送路と、この光ファイバ伝送路を使用した保安器及びこの保安器を配置した光伝送システムに関する。
【背景技術】
【０００２】
近年、ＦＴＴＨ（Ｆｉｂｅｒ  Ｔｏ  Ｔｈｅ  Ｈｏｍｅ）の導入が始まり各家庭での高速インターネットの利用が急速に普及してきている。このような状況において通信ネットワークをますます充実させる必要性が高まり、例えば波長分割多重（ＷＤＭ；Ｗａｖｅｌｅｎｇｔｈ  Ｄｉｖｉｓｉｏｎ  Ｍｕｌｔｉｐｌｅｘ）方式などが用いられるようになってきている。
【０００３】
このＷＤＭ方式は従来に比べてはるかに高い光パワーが伝送される可能性がある。例示すれば数Ｗオーダーの光パワーが伝送されることもあるために汚れた光コネクタの端面など、光伝送路の中でも光パワー耐性の低い箇所でコアが焼損するという現象が生じることがある。
【０００４】
光伝送路の中において光パワー耐性の低い箇所でコアが焼損すると焼損部が導火線のように光源方向に向かって連鎖的に延焼してゆくファイバヒューズ現象が発生する（例えば、非特許文献１、非特許文献２参照）。
【０００５】
このようなファイバヒューズ現象による延焼は一度発生すると融着接続部やコネクタ接続部を乗り越えて光源まで達するので最終的には送信機や増幅器等の機器類を破損させてしまうという虞がある。
【０００６】
ところで、ファイバヒューズ現象は高温、高いパワー密度、光の吸収が発生要因とされている。一般的なシングルモードファイバのコアは数％のＧｅＯ２が添加された石英ガラス（ＳｉＯ２）からなる。このＧｅＯ２添加石英ガラスは常温では通信波長域（近赤外波長域）においてほとんど光吸収がないが、高温下では熱が関与した光励起反応（間接遷移）が起こりやすくなり、通信波長域にも強い光吸収帯が発現することが知られている。
【０００７】
ＧｅＯ２添加石英ガラスはＧｅサイトで化学的構造の欠陥が発生しやすいことが知られており、純粋石英ガラスに比べて上記した熱による吸収帯が発生しやすいとも言われている。例えばコネクタ接続点においてはしばしば端面の汚れによって光が吸収され、温度が上昇してファイバヒューズ現象が発生しやすくなる。
【０００８】
また、光のパワーについては同じパワー値であっても伝搬モードの実効断面積が小さい方がパワー密度が高くなる。実効断面積はモードフィールド径によって決定されるので、モードフィールド径が小さいとファイバヒューズ現象が発生しやすくなる。
【０００９】
上記のようなファイバヒューズ現象に対して従来いくつかの対策が施されている。例えばコネクタ端面においてシングルモードファイバのコア径を拡大して事前にファイバヒューズ現象の発生を防止する方法や（例えば、特許文献１参照）、ファイバヒューズ現象が発生した場合にコリメータレンズを用いてその後に生じる延焼を遮断するための装置である（例えば、特許文献２参照）。
【非特許文献１】２００３  電子情報通信学会総合大会  Ｃ−３−４４  １８４頁
【非特許文献２】Technical  Digest  of  Optical  Amplifiers  and  their  applicationsTopical meeting,  Otaru, Japan, 2003(Optical society of America, Washington, D. C.)        ＴｕＣ４  １９３〜１９５頁
【特許文献１】特開２００２−２７７６８５号公報
【特許文献２】特開２００２−３２３６３９号公報
【発明の開示】
【発明が解決しようとする課題】
【００１０】
ところで、上記のような従来の技術には、次のような解決すべき課題があった。
【００１１】
即ち、特許文献１に開示されたファイバヒューズ現象を防止する方法は、シングルモードファイバに熱を加えてコア中のＧｅを拡散させてコア径を拡大するＴＥＣ（Ｔｈｅｒｍａｌ  Ｅｘｐａｎｔｅｄ  Ｃｏｒｅ）技術を用いて行うものであるが、コア径の拡大に限界があり、またこの技術だけではファイバヒューズ現象を阻止するのに十分な効果を奏するとは言い難かった。また、この方法ではファイバヒューズ現象の延焼を阻止する機能のみで、発生箇所を制御するものではないため、長距離に亘って延焼を生じさせる懸念もあった。
【００１２】
一方、特許文献２に開示された装置を用いた場合にもこの技術だけではファイバヒューズ現象による光ファイバ伝送路の破損を局在化し得ないという問題を残している。
【００１３】
本発明は以上の点に着目してなされたもので、簡易な構成でファイバヒューズ現象の発生箇所を特定箇所に局在化し得る光ファイバ伝送路と、この光ファイバ伝送路からなる保安器及びこの保安器を用いた光伝送システムを提供するものである。
【課題を解決するための手段】
【００１４】
本発明は以上の点を解決するため次の構成を採用する。
【００１５】
〈構成１〉
光源と接続され、光源からの光を所定の屈折率を有するコアとその周囲の前記コアよりも屈折率の低いクラッドとからなるシングルモードファイバにより伝送させる光ファイバ伝送路において、前記光ファイバ伝送路の途中に前記光ファイバ伝送路の他の部分よりもファイバヒューズ現象に対する耐性の低い箇所と耐性の高い箇所を近接して配置し、前記耐性の高い箇所を光源側に設けたことを特徴とする光ファイバ伝送路。
【００１６】
このような構成にすると、もしファイバヒューズ現象が生じるような場合でもその箇所が選択的にファイバヒューズ現象に対して耐性の低い箇所で生じるようになるので、ファイバヒューズ現象の生じる箇所が局在化でき、しかもファイバヒューズ現象が生じたとしてもファイバヒューズ現象の生じた箇所に近接して光源側に設けられたファイバヒューズ現象に対する耐性の高い箇所でファイバヒューズ現象を遮断するのでファイバヒューズ現象による延焼を極めて短い距離で阻止でき、光源などの機器類の損傷等の虞がなくなる。
【００１７】
〈構成２〉
前記耐性の低い箇所は光の吸収機能を有する部材からなることを特徴とする構成１記載の光ファイバ伝送路。
【００１８】
光が吸収されると温度が上昇しファイバヒューズ現象が発生しやすくなるので、光の吸収機能を有する部材がファイバヒューズ現象に対する耐性の低い箇所として適している。
【００１９】
〈構成３〉
前記光の吸収機能を有する部材は光ファイバ伝送路中に金属薄膜を挿入したものであることを特徴とする構成２記載の光ファイバ伝送路。
【００２０】
光ファイバ伝送路中に挿入した金属薄膜は、非常に微小な領域で光エネルギーを吸収して熱に変換するため、局所的に極めて高い温度に達し易く、やはりファイバヒューズ現象に対する耐性の低い箇所として適している。
【００２１】
〈構成４〉
前記耐性の低い箇所は前記光ファイバ伝送路を構成するシングルモードファイバよりもファイバヒューズ現象に対する耐性の低い光ファイバからなることを特徴とする構成１記載の光ファイバ伝送路。
【００２２】
光ファイバ伝送路を構成するシングルモードファイバよりもファイバヒューズ現象に対する耐性の低い光ファイバの部分では選択的にファイバヒューズ現象が生じるので、ファイバヒューズ発生箇所を当該箇所に限定し、光ファイバ伝送路の他の部分での発生を阻止することができる。
【００２３】
〈構成５〉
前記耐性の低い箇所はモードフィールド径を小さくした光ファイバからなることを特徴とする構成４記載の光ファイバ伝送路。
【００２４】
モードフィールド径の小さい光ファイバは光のパワー密度が上昇しファイバヒューズ現象が生じやすくなるので、ファイバヒューズ現象に対する耐性が低くなる。
【００２５】
〈構成６〉
前記耐性の低い光ファイバは光吸収元素をコアに添加した光ファイバであることを特徴とする構成４記載の光ファイバ伝送路。
【００２６】
光吸収元素をコアに添加した光ファイバは光を効率よく吸収するので温度の上昇が大きくなり、よりファイバヒューズ現象に対する耐性の低い箇所として適している。
【００２７】
〈構成７〉
前記耐性の低い光ファイバはプラスチックファイバであることを特徴とする構成４記載の光ファイバ伝送路。
【００２８】
プラスチックファイバは石英ガラスに比べ通信波長域での吸収が大きく、熱的安定性も低いことからファイバヒューズ現象発生の閾値が低い。また、比較的高濃度に吸光性の添加物や置換基を導入することが可能であるため吸光性の調整が容易であり、ファイバヒューズ現象発生の閾値を所望のレベルに調整することもできる。
【００２９】
〈構成８〉
前記耐性の低い光ファイバは多成分ガラスファイバであることを特徴とする構成４記載の光ファイバ伝送路。
【００３０】
多成分ガラスファイバもプラスチックファイバと同様に石英ガラスに比べ通信波長域での吸収が大きく、熱的安定性も低いことからファイバヒューズ現象発生の閾値が低く、吸光性添加物濃度を調整することによりファイバヒューズ現象発生の閾値を所望のレベルに調整することができる。
【００３１】
〈構成９〉
前記耐性の高い箇所は純粋石英コア光ファイバからなることを特徴とする構成１記載の光ファイバ伝送路。
【００３２】
純粋石英コア光ファイバはコアにファイバヒューズ現象の誘発要因であるＧｅが添加されていないのでファイバヒューズ現象に対する耐性が高い。
【００３３】
〈構成１０〉
前記耐性の高い箇所はモードフィールド径を大きくした光ファイバからなることを特徴とする構成１記載の光ファイバ伝送路。
【００３４】
モードフィールド径を大きくした光ファイバを用いるとファイバヒューズ現象は断面積を大きくした部分でパワー密度の低下により反応が停止してそれ以上の延焼が生じることがない。
【００３５】
〈構成１１〉
前記モードフィールド径を大きくした光ファイバはコア拡大ファイバであることを特徴とする構成１０記載の光ファイバ伝送路。
【００３６】
コア径を拡大したファイバはモードフィールド径が大きくなるのでファイバヒューズ現象が発生してもパワー密度の低下により反応が停止し、延焼を遮断することができる。
【００３７】
〈構成１２〉
前記耐性の高い箇所は光ファイバ伝送路中にエアギャップを設けたものであることを特徴とする構成１記載の光ファイバ伝送路。
【００３８】
光ファイバ伝送路中にエアギャップを設けるとファイバヒューズ現象が発生してもエアギャップにおいて延焼に必要な熱の伝搬が寸断され、延焼が遮断されるので光源などの機器類に損傷が及ぶことがない。
【００３９】
〈構成１３〉
前記エアギャップを設けたものはコリメータ対であることを特徴とする構成１２記載の光ファイバ伝送路。
【００４０】
空間伝送部にコリメータ対を用いることにより、当該箇所での結合損失の低減を図ることができるとともに、ファイバ（コリメータ）端面におけるパワー密度が低減するため、端面に付着した異物の光吸収による発熱によって発生するファイバヒューズ現象の飛び火を抑制することができる。
【００４１】
〈構成１４〉
光源と接続され、光源からの光を所定の屈折率を有するコアとその周囲の前記コアよりも屈折率の低いクラッドとからなるシングルモードファイバにより伝送させる光ファイバ伝送路の途中に配置される保安器であって、前記保安器は前記光ファイバ伝送路の他の部分よりもファイバヒューズ現象に対する耐性の高い箇所となるブロック部と、前記光ファイバ伝送路の他の部分よりもファイバヒューズ現象に対する耐性の低い箇所となるヒューズ部とを備え、前記ブロック部とヒューズ部とは直列に接続され、前記ブロック部が光源側に設けられるようにしたことを特徴とする保安器。
【００４２】
光ファイバ伝送路の途中にファイバヒューズ現象を局在化して発生させ得るヒューズ部と発生したファイバヒューズ現象を阻止するブロック部とを備えた保安器を配置すると、確実にファイバヒューズ現象を遮断することができ、ファイバヒューズ現象の延焼が抑制できる。
【００４３】
〈構成１５〉
前記ブロック部と前記ヒューズ部とは、入力側端末と出力側端末とを備えた筐体内に収納され、前記入力側端末と出力側端末との間に挿入されていることを特徴とする構成１４記載の保安器。
【００４４】
上記のブロック部と前記ヒューズ部を筐体の内部に一体に組み込むことで、保安器とすることができる。これは任意の光源と機器、光ファイバ伝送路との間に挿入して使用できる。
【００４５】
〈構成１６〉
前記入力側又は／及び出力側端末は光コネクタであることを特徴とする構成１５記載の保安器。
【００４６】
入出力側端末にコネクタを用いると光ファイバ伝送路と保安器との接続を機械的に行えるので容易に設置することができる。
【００４７】
〈構成１７〉
光源と接続され、光源からの光を所定の屈折率を有するコアとその周囲の前記コアよりも屈折率の低いクラッドとからなるシングルモードファイバにより伝送させる光ファイバ伝送路に請求項１４記載の保安器が配置された光伝送システムにおいて、前記保安器は前記光源側から前記光ファイバ伝送路の全長の５％以内の距離に設置されていることを特徴とする光伝送システム。
【００４８】
保安器を光源側から光ファイバの全長の５％以内の距離の所に置くことにより、たとえファイバヒューズ現象が発生したとしても発生箇所が光源等の機器類の近くであるため修繕を容易に行うことができ、また万が一にもファイバヒューズ現象を保安器内で阻止できなかった場合にも、光伝送路に与える損害を最小限に抑えることができる。
【発明を実施するための最良の形態】
【００４９】
以下、本発明の実施の形態について具体例を用いて説明する。
【実施例１】
【００５０】
図１は本発明の一実施の形態である光ファイバ伝送路及びファイバヒューズ現象を遮断する状況を説明する図である。図１において本発明の光ファイバ伝送路１は伝送用のシングルモードファイバ（以下、ＳＭＦ）２ａ、２ｂ、２ｃの途中にこのＳＭＦ２ａ、２ｂ、２ｃよりもファイバヒューズ現象に対する耐性の低い箇所３とファイバヒューズ現象に対する耐性の高い箇所４を近接して配置し、しかもファイバヒューズ現象に対する耐性の高い箇所４を光源５側に設けたものである。
【００５１】
このように本発明のような構成では、もしファイバヒューズ現象６が生じるような場合でもその箇所が選択的にファイバヒューズ現象６に対して耐性の低い箇所３で生じるようになるので予想外の箇所で生じて大規模な光ファイバ伝送路の破損を来すような心配がなくなる。
【００５２】
また、ファイバヒューズ現象に対して耐性の低い箇所３でファイバヒューズ現象６が生じ、そのファイバヒューズ現象が光源に向かって延焼して行っても光源５側に設けたファイバヒューズ現象に対する耐性の高い箇所４で確実にファイバヒューズ現象を遮断することができる。
【００５３】
従って、ファイバヒューズ現象の生じる箇所が局在化でき、しかも、もしファイバヒューズ現象が生じたとしてもファイバヒューズ現象の生じた箇所に近接して光源側に設けられたファイバヒューズ現象に対する耐性の高い箇所でファイバヒューズ現象を遮断するのでファイバヒューズ現象による延焼を極めて短い距離で阻止でき光源などの機器類の損傷等による大きな問題を起こすことがない。なお、本実施例では公衆通信用の光ファイバについて説明したが、本発明は平面型光導波路においても適用でき、公衆通信用の光ファイバだけに限定されるものではない。
【実施例２】
【００５４】
図２は本発明の光ファイバ伝送路を実現する保安器の縦断面図である。
図のように、筐体１１の両端壁には、入力側端末である光源側コネクタ１２と出力側端末である機器側コネクタ１３とが設けられている。筐体１１の中は、ファイバヒューズ現象に対する耐性の高い箇所となるブロック部１４と、ファイバヒューズ現象に対する耐性の低い箇所となるヒューズ部１５とが、直列に接続された構造をしている。ブロック部１４とヒューズ部１５との間の距離をあまり長くとると、ファイバヒューズ現象が生じた場合に延焼距離が長くなるので好ましくない。実用的な通信用光ファイバでは、両者の距離を数ｃｍ〜数十ｃｍ程度の範囲にとることが好ましい。そこで、両者を筐体に入れて「保安器」とする。これで、両者の距離を最適化し、光源と機器の間に簡単に挿入して使用することができるようになる。
【００５５】
ここで伝送用のＳＭＦ２ａ、２ｂ、２ｃは通常の公衆通信に用いられるコアにＧｅを添加して屈折率を上昇させ、クラッドは純粋石英ガラスとした光ファイバである。ただし、光ファイバ伝送路としては本実施の形態に限定されるものではなく、例えば一枚の平板導波路基板内にブロック部とヒューズ部を形成するならば、両者を数ｍｍ間隔に近接配置させることもでき、コンパクトな実装が可能となるなど目的に応じて種々の光ファイバを用いることができる。
【実施例３】
【００５６】
また、ファイバヒューズ現象に対する耐性の低い箇所３は光の吸収機能を有する部材を用いるとよい。この光の吸収機能を有する部材としては、例えば光の吸収性能を有する金属薄膜を光ファイバ伝送路２ｂと２ｃの間に挿入するなどすればよい。図３（ａ）は、光ファイバ２１、２２の突き合わせ接続部に、金属薄膜２３として、光信号の固定減衰器用として用いられている、クロム系金属等の薄膜被覆を施した例を示す。通常はファイバヒューズ現象が生じないようなパワーで光信号を伝送する。何らかの原因でファイバヒューズ現象が生じる場合には金属薄膜２３の部分で光エネルギが吸収され、温度がいち早く上昇するのでファイバヒューズ現象が発生しやすくなる。
【００５７】
さらに、ファイバヒューズ現象に対する耐性の低い箇所３は光ファイバ伝送路を構成するＳＭＦよりもファイバヒューズ現象に対する耐性の低い光ファイバ、例えばモードフィールド径の小さい光ファイバ、コアに遷移金属元素や希土類元素を添加した光減衰性ファイバ、プラスチックファイバ、あるいは多成分ガラスファイバを用いるとよい。
【００５８】
モードフィールド径の小さい光ファイバは光のパワー密度が上昇しファイバヒューズ現象が生じやすくなるので、ファイバヒューズ現象に対する耐性が低くなる。また、光吸収元素をコアに添加した光ファイバは光を効率よく吸収するので温度の上昇が大きくなり、よりファイバヒューズ現象に対する耐性の低い箇所として適している。
【００５９】
さらに、プラスチックファイバは石英ガラスに比べ通信波長域での吸収が大きく、化学的安定性も低いことからファイバヒューズ現象発生の閾値が低く、ファイバヒューズ現象に対する耐性（耐光パワー特性）が低い。また比較的高濃度に吸光性の添加物や置換基を導入することが可能であるため吸光性の調整が容易であり、ファイバヒューズ現象発生の閾値や耐光パワー特性を所望のレベルに調整することもできる。
【００６０】
多成分ガラスファイバもプラスチックファイバと同様に石英ガラスに比べ通信波長域での吸収が大きく、熱的安定性も低いことからファイバヒューズ現象発生の閾値が低く、吸光性添加物濃度を調整することによりファイバヒューズ現象発生の閾値や耐光パワー特性を所望のレベルに調整することができ、いずれもファイバヒューズ現象が生じやすい傾向がある。もちろん光ファイバ伝送路を構成する光ファイバに合わせてそれよりもファイバヒューズ現象に対する耐性の低い光ファイバを選べばよいので、本実施の形態に限定されるものではない。
【００６１】
次にファイバヒューズ現象に対する耐性の高い箇所４は純粋石英コア光ファイバを用いるとよい。純粋石英コア光ファイバはコアにファイバヒューズ現象の発生要因であるＧｅのような高温で光吸収の増大を誘発するドーパントが添加されていないのでファイバヒューズ現象に対する耐性が高く、優れたファイバヒューズ現象の遮断機能を有している。
【００６２】
また、ファイバヒューズ現象に対する耐性の高い箇所４はモードフィールド径を大きくした光ファイバを用いるとよい。モードフィールド径を大きくした光ファイバとしては、例えばコア径を熱拡散により拡大したファイバ（Ｔｈｅｒｍａｌ  Ｅｘｐａｎｄｅｄ  Ｃｏｒｅ；ＴＥＣ  ファイバ）が挙げられる。このようにモードフィールド径を大きくした光ファイバを用いるとファイバヒューズ現象はモード実効断面積を大きくした部分で拡散してそれ以上の延焼が生じることがない。
【００６３】
さらに、例えば、図３（ｂ）に示すように、ファイバヒューズ現象に対する耐性の高い箇所４は一対の光ファイバ２５、２６の突き合わせ接続部（光ファイバ伝送路）中に、エアギャップ２７を設けるとよい。エアギャップ２７は例えば伝送用ＳＭＦ２ａと２ｂとを近接させ、間にわずかな隙間を設けて構成したり、伝送用ＳＭＦ２ａと２ｂとの間にコリメータ対を配置し、このコリメータ対の間にわずかなギャップを設けて構成するとよい。
【００６４】
このようにするとファイバヒューズ現象が発生してもエアギャップにおいて熱伝導が寸断されることにより延焼が遮断されるので光源などの機器類に損傷が及ぶことがない。コリメータを設けたのは、ギャップを介して伝送される光信号の結合損失を最小にするため及び光パワー密度を低減させることにより光ファイバ端面に付着した異物による吸光→発熱→ファイバヒューズ現象再発という過程を抑制するためである。なお、このエアギャップの周辺は、高い光パワー密度の空間ビーム光が漏洩する可能性があるので、周囲を不燃物で遮光することが望ましい。
【００６５】
また、前記した保安器を光ファイバ伝送路の光源側から光ファイバ伝送路全長の５％以内の距離に設置するとよい。光ファイバ伝送路全長の５％以内の距離はほとんどの場合光源装置を設置した施設内であるので、このようにして設置すると、ファイバヒューズ現象が発生したとしてもその発生箇所を局在化できるとともにファイバヒューズ現象による延焼を極めて短距離で遮断できる。
【図面の簡単な説明】
【００６６】
【図１】本発明の光ファイバ伝送路及びファイバヒューズ現象を遮断する状況を説明する図である。
【図２】本発明の光ファイバ伝送路を実現する保安器の縦断面図である。
【図３】（ａ）は、ファイバヒューズ現象に対する耐性の低い箇所の実施例側面図、（ｂ）は、ファイバヒューズ現象に対する耐性の高い箇所の実施例側面図である。
【符号の説明】
【００６７】
１    光ファイバ伝送路
２ａ  伝送用ＳＭＦ
２ｂ  伝送用ＳＭＦ
２ｃ  伝送用ＳＭＦ
３    ファイバヒューズ現象に対する耐性の低い箇所
４    ファイバヒューズ現象に対する耐性の高い箇所
５    光源
６    ファイバヒューズ現象
【図１】
2005201936.tif 000003
【図２】
2005201936.tif 000004
【図３】
2005201936.tif 000005